(57)【要約】【課題】φ１．４ｍｍ以上の線条体も切断できると共に、小型で低コストな線条体用ボビン自動切替巻取機を提供する。【解決手段】線条体２を複数のボビン５，６に巻取る線条体用ボビン自動巻取機１において、上記線条体２を巻き取るボビン５，６の切替時に空ボビン５と満巻ボビン６との周速を同調させるべく上記空ボビン５の周速を減速させるブレーキ機構２４を備え、上記線条体２を巻き取るボビン５，６の切替時に上記線条体２を切断すべくその線条体２を保持するワイヤキャッチャ２７と線条体２を切断する切刃２８を有するワイヤ切断部２９とからなる線条体切断機構２６を備えた。【選択図】　　　　図３
2004091089.tif 000002
【特許請求の範囲】
【請求項１】
線条体を複数のボビンに巻取る線条体用ボビン自動巻取機において、上記線条体を巻き取るボビンの切替時に空ボビンと満巻ボビンとの周速を同調させるべく上記空ボビンの周速を減速させるブレーキ機構を備えたことを特徴とする線条体用ボビン自動切替巻取機。
【請求項２】
線条体を複数のボビンに巻取る線条体用ボビン自動巻取機において、上記線条体を巻き取るボビンの切替時に上記線条体を切断すべくその線条体を保持するワイヤキャッチャと線条体を切断する切刃を有するワイヤ切断部とからなる線条体切断機構を備えたことを特徴とする線条体用ボビン自動切替巻取機。
【発明の詳細な説明】
【０００１】
【発明の属する技術分野】
本発明は、線条体を複数のボビンに巻取る線条体用ボビン自動巻取機に係り、特に、線条体を巻き取るボビンを自動で切り替えることができる線条体用ボビン自動巻取機に関するものである。
【０００２】
【従来の技術】
線条体をボビンで巻き取る線条体用ボビン自動切替巻取機は、線条体を送り出す送出機と、線条体に加工処理を施す処理設備と、線条体を複数のボビンに巻取るボビン自動巻取機とを備えている。
【０００３】
上記ボビン自動切替巻取機には、複数のボビンが設けられている。従来のボビン自動切替巻取機では、線条体の張力を一定に保つためにダンサープーリが設けられているが、線条体を巻き取るボビンの切替時には、空ボビンと満巻ボビンとの周速差をダンサープーリだけでは吸収しきれないので、空ボビンと満巻ボビンとの周速を同調させるために、大型のアキュームレータと、ボビン巻取駆動部に取り付けられた可変速モータと、ダンサープーリ部に取り付けられた変位計とが設けられていた。
【０００４】
また、線条体を巻き取るボビンの切替時に、線条体を切断するために図６に示すような切断装置５１が設けられていた。図示するように、切断装置５１は、切刃５２を有したレバー５３と、そのレバー５３を固定すると共に切刃５２を受ける受刃５４を備えた固定部５５とを備えている。切刃５２と受刃５４とで線条体（渡りワイヤ）５６を挟んで切断するようになっている。
【０００５】
【発明が解決しようとする課題】
ところで、上述の線条体用ボビン自動切替巻取機では、空ボビンと満巻ボビンとの周速を同調させるために、大型のアキュームレータや可変速モータや変位計等が設けられているが、これらの装置は、広い設置スペースを必要とすると共に、コストが高いといった問題があった。また、切断装置５１も広い設置スペースを必要とすると共に、テコの原理を利用しており、そのスペースが限られているのでφ１．４ｍｍ以上の線条体を切断することができないといった問題があった。
【０００６】
そこで、本発明は上記問題を解決すべく案出されたものであり、その目的は、φ１．４ｍｍ以上の線条体も切断できると共に、小型で低コストな線条体用ボビン自動切替巻取機を提供することにある。
【０００７】
【課題を解決するための手段】
前記課題を解決すべく、請求項１の発明は、線条体を複数のボビンに巻取る線条体用ボビン自動巻取機において、上記線条体を巻き取るボビンの切替時に空ボビンと満巻ボビンとの周速を同調させるべく上記空ボビンの周速を減速させるブレーキ機構を備えた線条体用ボビン自動切替巻取機である。
【０００８】
そして、請求項２の発明は、線条体を複数のボビンに巻取る線条体用ボビン自動巻取機において、上記線条体を巻き取るボビンの切替時に上記線条体を切断すべくその線条体を保持するワイヤキャッチャと線条体を切断する切刃を有するワイヤ切断部とからなる線条体切断機構を備えた線条体用ボビン自動切替巻取機である。
【０００９】
【発明の実施の形態】
以下、本発明の実施の形態を添付図面に従って説明する。
【００１０】
図１は本発明に係る線条体用ボビン自動切替巻取機の好適な実施の形態を示した全体正面図、図２は本発明に係る線条体用ボビン自動切替巻取機の好適な実施の形態を示した全体平面図、図３は本発明に係る線条体用ボビン自動切替巻取機のボビン切替部を示した要部拡大平面図、図４は本発明に係る線条体用ボビン自動切替巻取機のボビン切替部を示した要部拡大正面図、図５は本発明に係る線条体用ボビン自動切替巻取機の線条体切断機構を示した要部拡大斜視図である。
【００１１】
まず、本発明に係る線条体用ボビン自動切替巻取機の構成を説明する。
【００１２】
図示するように、本実施の形態に係る線条体用ボビン自動切替巻取機１は、ボビン５，６の切替を自動で行う装置であって、線条体２を送り出す送出機３と、線条体２に加工処理を施す処理設備４と、線条体２を複数のボビン５，６に巻取るボビン自動切替巻取機７とを備えている。
【００１３】
ボビン自動切替巻取機７には、送出機３の巻取ドラム８に巻き付けられた線条体２を引き取る引取キャプスタン９が設けられている。線条体２は、引取キャプスタン９によって引っ張られ、送出機３、処理設備４及びボビン自動切替巻取機７との間に設けられた複数のプーリ１１を介して案内されて、処理設備４内を通過して、ボビン自動切替巻取機７内へと送られる。
【００１４】
引取キャプスタン９には、各ボビン５，６へと送られた線条体２の長さをカウントする条長カウンター（図示せず）が設けられている。
【００１５】
ボビン自動切替巻取機７内へと送られた線条体２は、ダンサープーリ１２及びトラバーサ１４を介して各ボビン５，６へと送られる。
【００１６】
ボビン５，６は、旋回テーブル１７上に、その回転中心を中心とする同心円上で、直径線上に配置されている。図１から図４においては、一方（図中左側）のボビン５が空ボビン５で、他方（図中右側）のボビン６が満巻ボビン６として図示している。空ボビン５及び満巻ボビン６は、それぞれ回転テーブル１５，１６上に固定され、各回転テーブル１５，１６が、図示しないトルクモータ等の駆動装置によってボビン５，６と共に回転するようになっている。
【００１７】
空ボビン５と満巻ボビン６との間の、旋回テーブル１７の周縁部近傍には、トラバーサ１４によってガイドされた線条体２をガイドするボビン切替用ワイヤガイド１８がそれぞれ設けられている。
【００１８】
旋回テーブル１７の周縁部で、その旋回方向に見てボビン切替用ワイヤガイド１８の後方には、ボビンの切替時に、空ボビン５と満巻ボビン６間を渡る線条体である渡りワイヤ１９を、ボビン切替用ワイヤガイド１８へとガイドするレバー２１が設けられている。このレバー２１は、旋回テーブル１７の周縁部で俯仰自在に軸支されており、外側端部が径方向外側へ所定長さ突出している。
【００１９】
旋回テーブル１７の外周側には、旋回テーブル１７を支持する基台２２にレバー２１の外側端部に当接することによって、レバー２１を水平に倒すレバー用ストライカ２３が固定されている。要するに、レバー２１は、通常の巻取時には、旋回テーブル１７に対して垂直に起立しており、ボビンの切替時に旋回テーブル１７が回転することによって、レバー２１の外側端部が、レバー用ストライカ２３に当接して、レバー２１が倒れ、渡りワイヤ１９を、ボビン切替用ワイヤガイド１８へとガイドする。
【００２０】
旋回テーブル１７の外周側には、線条体２を巻き取るボビン５，６の切替時に空ボビン５と満巻ボビン６との周速を同調させるべく空ボビン５の周速を減速させるブレーキ機構２４が設けられている。
【００２１】
ブレーキ機構２４は、基台２２上に固定されており、その先端にブレーキパッド２５が設けられており、旋回テーブル１７の旋回時に、ブレーキパッド２５が空ボビン５の回転テーブル１５の外周面に当接して、その周速を減速するようになっている。
【００２２】
各ボビン５，６を支持する回転テーブル１５，１６の周縁部には、それぞれ線条体２の渡りワイヤ１９部分を切断する線条体切断機構２６が設けられている。この線条体切断機構２６は、線条体２を保持するワイヤキャッチャ２７と線条体２を切断する切刃２８を有するワイヤ切断部２９とで構成されている。
【００２３】
ワイヤキャッチャ２７は、回転テーブル１５，１６の回転方向に向かって開口するＵ字状に形成されており、回転テーブル１５，１６の周縁部近傍に固定されている。ワイヤ切断部２９は、基台２２上の回転テーブル１５，１６の周縁部近傍で渡りワイヤ１９が通過する部分に固定されている。
【００２４】
ワイヤキャッチャ２７が、渡りワイヤ１９を支持して回転し、ワイヤ切断部２９側へと移動し、切刃２８との間に挟むことによって、渡りワイヤ１９が切断されることとなる。
【００２５】
次に、ボビン５，６の切替時の各部の動作と共に、上記構成による線条体用ボビン自動切替巻取機１の作用を説明する。
【００２６】
条長カウンターが設定値に達することによって、ボビン６が満巻状態になったことを検知し、ボビン５，６の切替作業へと移行する。このときは、満巻ボビン６は図３に示すＡ点に位置して、空ボビン５は図３に示すＢ点に位置している。すなわち、図３の空ボビン５と満巻ボビン６の位置とは逆になっている。
【００２７】
まず、旋回テーブル１７が図３に示す矢印方向に回転する。これと共に空ボビン５も回転を開始し、図３に示すＣ点の位置で最大回転となる。このとき、満巻ボビン６は、回転駆動の電源が切られ惰性で回転している状態である。
【００２８】
Ｃ点において、空ボビン５は、ブレーキ機構２４のブレーキパッド２５に当接することで、周速度が減速し、ボビン切替位置であるＡ点において、空ボビン５の周速度が、満巻ボビン６の周速度と略同じとなる。
【００２９】
これと共に、旋回テーブル１７の回転によって、レバー２１の外側端部がレバー用ストライカ２３に当接して、レバー２１が垂直から水平へと倒れ、渡りワイヤ１９を、ボビン切替用ワイヤガイド１８へとガイドする。
【００３０】
これによって、渡りワイヤ１９は、ワイヤキャッチャ２７に支持され、回転テーブル５の回転力によってワイヤ切断部２９側へと移動し、切刃２８との間に挟み込まれて切断される。
【００３１】
そして、切断された線条体２は空ボビン５へと巻かれて、巻き取られる。このとき、空ボビン５はブレーキ機構２４によって回転速度が減速され、満巻ボビン６と周速度が同等になっているので、線条体２が断線してしまうことなく、ボビン５，６の切替を行うことができる。
【００３２】
各ボビン５，６の周速度を同調させるのに、本実施の形態では、ブレーキ機構２４のような簡単な装置で行うことができるので、従来のように、大型のアキュームレータや可変速モータや変位計等を用いる必要はないので、広い設置スペースを小さくできると共に、コストの低減を達成できる。
【００３３】
また、線条体２をワイヤキャッチャ２７で支持して、ワイヤ切断部２９側へと移動し、切刃２８との間に挟み込んで切断するので、φ１．４ｍｍ以上の線条体も切断できる。
【００３４】
なお、本発明は、連続作業を行うワイヤの製造設備等の合理化のために、多本掛用巻取機に適用することも可能である。
【００３５】
【発明の効果】
以上要するに本発明によれば、φ１．４ｍｍ以上の線条体も切断できると共に、小型の線条体用ボビン自動切替巻取機を低コストで製造できるといった優れた効果を発揮する。
【図面の簡単な説明】
【図１】本発明に係る線条体用ボビン自動切替巻取機の好適な実施の形態を示した全体正面図である。
【図２】本発明に係る線条体用ボビン自動切替巻取機の好適な実施の形態を示した全体平面図である。
【図３】本発明に係る線条体用ボビン自動切替巻取機のボビン切替部を示した要部拡大平面図である。
【図４】本発明に係る線条体用ボビン自動切替巻取機のボビン切替部を示した要部拡大正面図である。
【図５】本発明に係る線条体用ボビン自動切替巻取機の線条体切断機構を示した要部拡大斜視図である。
【図６】従来の線条体用ボビン自動切替巻取機の切断装置を示した側面図である。
【符号の説明】
１　線条体用ボビン自動切替巻取機
２　線条体
５　空ボビン
６　満巻ボビン
２４　ブレーキ機構
２６　線条体切断機構
２７　ワイヤキャッチャ
２８　切刃
２９　ワイヤ切断部
【図１】
2004091089.tif 000003
【図２】
2004091089.tif 000004
【図３】
2004091089.tif 000005
【図４】
2004091089.tif 000006
【図５】
2004091089.tif 000007
【図６】
2004091089.tif 000008